(57)【特許請求の範囲】
【請求項１】
内視鏡の処置具挿通路の入口部分に着脱自在に取り付けられる弾力性のある材料からなる蓋体に、上記処置具挿通路の入口部分に形成された栓受孔に対して嵌め込み及び離脱自在な栓部が形成され、処置具が挿通されていない状態では自己の弾力性により閉じた状態を維持して、上記処置具挿通路に挿脱される処置具によって押し広げられる「−」状のスリットが上記栓部に形成された内視鏡の鉗子栓において、
上記栓部が上記栓受孔に嵌め込まれた状態のとき、上記スリットの長手方向に対して垂直方向においては上記栓部が上記栓受孔に圧入され、上記スリットの長手方向においては上記栓部と上記栓受孔との間に隙間が生じるように構成されると共に、
上記スリットの長手方向に対して垂直な方向における上記栓部と上記栓受孔との嵌め合い面が先細りのテーパ状に形成されていることを特徴とする内視鏡の鉗子栓。
【請求項２】
上記栓受孔が弾力性のある材料からなる樽状部材の入口開口部分で形成されて、上記栓部が上記栓受孔に嵌め込まれた状態のときに上記栓受孔の外壁の外周部に被さった状態に係合する環状部が上記栓部の周囲を囲む状態に上記蓋体から突出形成されると共に、上記樽状部材内に上記樽状部材と一体に形成された閉鎖膜に、上記スリットを通過した処置具によって押し広げられる小孔が形成されている請求項１記載の内視鏡の鉗子栓。
【発明の詳細な説明】
【０００１】
【発明の属する技術分野】
この発明は、内視鏡の処置具挿通路の入口に配置される内視鏡の鉗子栓に関する。
【０００２】
【従来の技術】
内視鏡の鉗子栓は、処置具挿通路を介して体内汚液等が噴出しないように処置具挿通路の入口部分の栓をし、しかも処置具挿通路に処置具を挿脱する際には栓を開閉する特別な操作を必要としないものでなければならない。
【０００３】
そこで内視鏡の鉗子栓は一般に、内視鏡の処置具挿通路の入口部分に着脱自在に取り付けられる弾力性のある材料からなる蓋体に、処置具挿通路の入口部分に形成された栓受孔に対して嵌め込み及び離脱自在な栓部が形成され、通常は自己の弾力性によって閉じた状態を維持し、処置具挿通路に挿脱される処置具によって押し広げられる「−」状のスリットが栓部に形成されている。
【０００４】
【発明が解決しようとする課題】
しかし、図１０に示されるように、「−」状のスリット５１に処置具１００が通されると、スリット５１が全幅にわたって広がった状態になるので、処置具１００が通っていない部分でスリット５１に隙間５２ができてしまい、そこから汚液などが漏れ出してしまう。
【０００５】
そこで本発明は、処置具が挿通された状態においてスリット部分からの漏れが発生し難い密閉性の優れた内視鏡の鉗子栓を提供することを目的とする。
【０００６】
【課題を解決するための手段】
上記の目的を達成するため、本発明の内視鏡の鉗子栓は、内視鏡の処置具挿通路の入口部分に着脱自在に取り付けられる弾力性のある材料からなる蓋体に、処置具挿通路の入口部分に形成された栓受孔に対して嵌め込み及び離脱自在な栓部が形成され、通常は自己の弾力性によって閉じた状態を維持して、処置具挿通路に挿脱される処置具によって押し広げられる「−」状のスリットが栓部に形成された内視鏡の鉗子栓において、栓部が栓受孔に嵌め込まれた状態のとき、スリットの長手方向に対して垂直方向においては栓部が栓受孔に圧入され、スリットの長手方向においては栓部と栓受孔との間に隙間が生じるように構成したものである。
【０００７】
なお、栓受孔の外壁の外周面に円周溝が形成され、その円周溝に弾力的に係脱自在な係合部が蓋体に形成されていてもよい。
【０００８】
【発明の実施の形態】
図面を参照して本発明の実施例を説明する。
図７は内視鏡を示しており、可撓管によって外装された挿入部１の基端が操作部２の下端に連結されている。
【０００９】
挿入部１内に挿通配置された処置具挿通路３の先端は挿入部１の先端において外部に開口し、処置具挿通路３の入口に配置された鉗子栓１０が、操作部２の下端部分から斜め上方に突出している。
【００１０】
図１は、処置具挿通路３の入口端部に設けられた入口口金３０に着脱自在に取り付けられた鉗子栓１０を示し、図２はそのII−II断面を示している。３１はシール用のＯリングである。
【００１１】
鉗子栓１０は、各々が弾力性のあるゴム材によって形成された樽状部材１１と蓋状部材１２とを、直列に配置して構成されており、樽状部材１１と蓋状部材１２は、入口口金３０の外周面に形成された第１と第２の円周溝３２，３３に着脱自在に嵌め込まれて取り付けられている。
【００１２】
樽状部材１１は、その内周面に突設された弾性突起１３が入口口金３０の口元近傍に形成された第１の円周溝３２に嵌め込まれており、弾性突起１３の周辺を弾性変形させることにより、第１の円周溝３２に係脱させることができる。
【００１３】
樽状部材１１には、中心に小孔１５が形成された閉鎖膜１４が、入口口金３０の開口端に対向する位置に形成されており、図示されていない処置具が小孔１５を押し広げながら処置具挿通路３内に挿脱される。
【００１４】
蓋状部材１２は、入口口金３０の基部に形成された第２の円周溝３３に弾力的に着脱自在に取り付けられた環状部２１に、柔軟な連結バンド部２２を介して蓋体部２３が連結されて構成されている。
【００１５】
蓋体部２３の中央部分には、樽状部材１１の入口開口部分である栓受孔１６に対して嵌め込み及び離脱自在な栓部２４が、蓋体部２３と一体に下方に向けて突設されている。
【００１６】
また、樽状部材１１の円筒状の外壁の栓受孔１６の外周面には円周溝１７が形成されており、その円周溝１７に弾力的に係脱自在な係合突起２９が、蓋体部２３の下面側から内方に向けて、栓部２４を囲んで環状に突出して形成されている。
【００１７】
そして、図１に示されるように、係合突起２９が円周溝１７に係合した状態においては、蓋体部２３の栓部２４が樽状部材１１の栓受孔１６に嵌まり込み、蓋体部２３が樽状部材１１の入口部分に取り付けられた状態になる。このような構成にすることにより、処置具１００の先端が差し込まれたときに蓋体部２３がぐらつかず、処置具１００が安定した向きに挿入される。
【００１８】
係合突起２９を弾性変形させて円周溝１７から離脱させれば、図３に示されるように、栓部２４が栓受孔１６から抜け出して蓋体部２３が樽状部材１１から外れた状態になる。
【００１９】
栓部２４の底部分は閉鎖膜２６になっていて、その中央に「−」状のスリット２７が形成されている。スリット２７は、通常は自己の弾力性によって閉じた状態を維持し、処置具挿通路３に挿脱される処置具によって押し広げられる。
【００２０】
栓部２４が栓受孔１６に嵌め込まれる部分において、スリット２７の長手方向に対して垂直方向においては、栓部２４の方が栓受孔１６より僅かに大きな寸法に形成されており、栓部２４が栓受孔１６に圧入された状態になる。したがって、スリット２７は樽状部材１１の栓受孔１６側から常に閉じ方向の力を受ける。
【００２１】
一方、スリット２７の長手方向の断面においては、図２に示されるように、栓受孔１６側が大きく形成されて栓部２４と栓受孔１６との間に隙間があり、栓部２４が広がる自由性を有している。栓受孔１６は、この実施例においては、図４の平面図に示されるように、楕円形状に形成されている。
【００２２】
図５は、上述のように構成された実施例の鉗子栓１０に処置具１００が差し込まれた状態を示しており、スリット２７が処置具１００のシャフトによって弾力的に押し広げられる。この状態からさらに処置具１００が押し込まれると、さらに樽状部材１１側の小孔１５も押し広げられる。
【００２３】
処置具１００がスリット２７に差し込まれた状態では、栓部２４が、スリット２７の長手方向には広がることができるが、スリット２７の長手方向に対して垂直方向にはほとんど広がることができない。
【００２４】
したがって、鉗子栓１０の入口を処置具１００の軸線方向から見た平面図である図６に示されるように、スリット２７の中央部分が処置具１００によって押し広げられると、栓部２４がスリット２７の長手方向に弾性変形して広がると同時に、処置具１００が差し込まれていないスリット２７の端寄りの部分では、矢印で示されるようにスリット面が押しつけ合わされて強く閉じた状態になる。
【００２５】
その結果、処置具１００がスリット２７内を通過した状態のときに、スリット２７が全幅にわたって全く又はほとんど開かず、処置具挿通路３からの汚液漏れや圧力漏れ等が発生しない。
【００２６】
なお、本発明は上記実施例に限定されるものではなく、例えば図８に示されるように、栓受孔１６は楕円形状に限らず円形の側面に直線部を設けたような形状等であってもよい。
【００２７】
また、図９に示されるように、スリット２７の長手方向に対して垂直方向における栓部２４と栓受孔１６の嵌め合い面を、先細りのテーパ状に形成してもよい。
【００２８】
【発明の効果】
本発明によれば、栓部が栓受孔に嵌め込まれた状態のとき、スリットの長手方向に対して垂直方向においては栓部が栓受孔に圧入され、スリットの長手方向においては栓部と栓受孔との間に隙間が生じるように構成したことにより、スリットの中央部分が処置具によって押し広げられると、栓部がスリットの長手方向に弾性変形して広がると同時に、処置具が差し込まれていないスリットの端寄りの部分ではスリット面が押しつけ合わされて強く閉じた状態になるので、処置具が挿通された状態でもスリット部分からの漏れが発生せず優れた密閉性を得ることができる。
【図面の簡単な説明】
【図１】本発明の第１の実施例の内視鏡の鉗子栓の縦断面図である。
【図２】本発明の第１の実施例の内視鏡の鉗子栓の図１におけるII−II断面図である。
【図３】本発明の第１の実施例の内視鏡の鉗子栓の蓋体部が栓受孔から取り外された状態の縦断面図である。
【図４】本発明の第１の実施例の内視鏡の鉗子栓の蓋体部が栓受孔から取り外された状態の平面図である。
【図５】本発明の第１の実施例の内視鏡の鉗子栓に処置具が差し込まれた状態の縦断面図である。
【図６】本発明の第１の実施例の内視鏡の鉗子栓に処置具が差し込まれた状態の平面図である。
【図７】本発明の第１の実施例の内視鏡の全体構成を示す側面図である。
【図８】本発明の第２の実施例の内視鏡の鉗子栓の蓋体部が栓受孔から取り外された状態の平面図である。
【図９】本発明の第３の実施例の内視鏡の鉗子栓の蓋体部が栓受孔から取り外された状態の平面図である。
【図１０】従来の内視鏡の鉗子栓に処置具が差し込まれた状態の平面図である。
【符号の説明】
３  処置具挿通路
１０  鉗子栓
１１  樽状部材
１２  蓋状部材
１６  栓受孔
２３  蓋体部
２４  栓部
２６  閉鎖膜
２７  スリット
１００  処置具
【図１】
0004406141.tif 000002
【図２】
0004406141.tif 000003
【図３】
0004406141.tif 000004
【図４】
0004406141.tif 000005
【図５】
0004406141.tif 000006
【図６】
0004406141.tif 000007
【図７】
0004406141.tif 000008
【図８】
0004406141.tif 000009
【図９】
0004406141.tif 000010
【図１０】
0004406141.tif 000011